(57)【特許請求の範囲】
【請求項１】
色彩の異なる多種類の緯糸を経糸間に選択的に織り込んで写真や絵画やその他各種図柄を多数の画素に分解したデザインを織物で表現するフルカラー織絵画の製織において、経糸を黒と白の２種類の無彩色経糸と色彩の異なる３種類以上の有彩色経糸を単位経糸群として繰り返し配列し、上記デザインの画素を緯糸の色彩によって構成することとし、画素を構成する緯糸を、その緯糸の色値に色値が最も接近した経糸に接結すること、
前記単位経糸群の中の３種類以上の有彩色経糸が、色相値３１０〜３６０°＝０°〜３０°、彩度値０．４〜１、明度値０．４〜１の赤色経糸、色相値３０°〜６０°、彩度値０．４〜１、明度値０．４〜１の黄色経糸、色相値６０°〜１６０°、彩度値０．４〜１、明度値０．４〜１の緑色経糸、および、色相値１６０°〜２９０°、彩度値０．４〜１、明度値０．４〜１の青色経糸の４種類の中の何れかの有彩色経糸を含み、黒色経糸の明度値を０〜０．４とし、白色経糸の彩度値を０〜０．４、明度値を０．８〜１．０とすること、を特徴とするフルカラー織絵画織成法。
【請求項２】
色彩の異なる多種類の緯糸を経糸間に選択的に織り込んで写真や絵画やその他各種図柄を多数の画素に分解したデザインを織物で表現するフルカラー織絵画の製織において、経糸を黒と白の２種類の無彩色経糸と色彩の異なる３種類以上の有彩色経糸を単位経糸群として繰り返し配列し、上記デザインの画素を緯糸の色彩によって構成することとし、画素を構成する緯糸を、その緯糸の色値に色値が最も接近した経糸に接結すること、
前記経糸の繊度Ｗと、経糸の色彩別の種類の数ｎと、緯糸の繊度Ｆと、フルカラー織絵画の表面に現れている緯糸の表出密度ｑと、経糸の配列密度ｐと、単位経糸群の各経糸が緯糸の上を越えて接結点を形成する周期Ｔとの関係式ρ＝（Ｗ／Ｆ）×（ｐ／ｑ）÷（ｎ×Ｔ）によって算定される色彩設計指標値ρを０．５以下（ρ≦０．５）とすること、を特徴とするフルカラー織絵画織成法。
【請求項３】
色彩の異なる多種類の緯糸を経糸間に選択的に織り込んで写真や絵画やその他各種図柄を多数の画素に分解したデザインを織物で表現するフルカラー織絵画の製織において、経糸を黒と白の２種類の無彩色経糸と色彩の異なる３種類以上の有彩色経糸を単位経糸群として繰り返し配列し、上記デザインの画素を緯糸の色彩によって構成することとし、画素を構成する緯糸を、その緯糸の色値に色値が最も接近した経糸に接結すること、
前記単位経糸群の中の３種類以上の有彩色経糸を、色相値３１０〜３６０°＝０°〜３０°、彩度値０．４〜１、明度値０．４〜１の赤色経糸、色相値３０°〜６０°、彩度値０．４〜１、明度値０．４〜１の黄色経糸、色相値６０°〜１６０°、彩度値０．４〜１、明度値０．４〜１の緑色経糸、および、色相値１６０°〜２９０°、彩度値０．４〜１、明度値０．４〜１の青色経糸の４種類の中の何れか３種類以上とし、黒色経糸の明度値を０〜０．４とし、白色経糸の彩度値を０〜０．４、明度値を０．８〜１．０とすること、
前記経糸の繊度Ｗと、経糸の色彩別の種類の数ｎと、緯糸の繊度Ｆと、フルカラー織絵画の表面に現れている緯糸の表出密度ｑと、経糸の配列密度ｐと、単位経糸群の各経糸が緯糸の上を越えて接結点を形成する周期Ｔとの関係式ρ＝（Ｗ／Ｆ）×（ｐ／ｑ）÷（ｎ×Ｔ）によって算定される色彩設計指標値ρを０．５以下（ρ≦０．５）とすること、を特徴とするフルカラー織絵画織成法。
【発明の詳細な説明】
【０００１】
【発明の属する技術分野】
本発明は、数多くの色彩の異なる経糸と緯糸を選択的に織物の表面に織り出して写真や絵画等のデザインを織物で表現したフルカラー織絵画に関するものである。
【０００２】
【従来の技術】
写真や絵画等のようにグラデーションの色彩変化を有するデザインを織物によって表現する場合には、そのデザインの画素の色を加色法の３原色系ＲＧＢカラーモデルや、色素系のＨＳＶカラーモデル、ＨＬＳカラーモデル、減色法のＣＭＹＫに白を加えた原理などによって色分解を行い、それぞれの原理に基づく色彩を経糸や緯糸の色要素とし、加色混合によってデザインの画素の色を表現する方式が採られており、そこでは緯糸と経糸の双方が色彩表現上の重要な要素となっている。
【０００３】
【発明が解決しようとする課題】
デザインの画素の色をＲＧＢやＨＳＶ、ＨＬＳ、ＣＭＹＫ等の原理に基づいて織物によって表現する場合、織物の表面を構成する経糸と緯糸が印刷における網点に該当することになるが、印刷の網点が虫眼鏡を通して辛うじて確認し得る程度に微細であるのに対し、織物の表面を構成する経糸と緯糸の交叉点は布目として目視によって容易に確認し得る程度に粗い。このため、織絵画のデザインの画素の色彩を表現するための独自の色要素を経糸や緯糸が有する場合、印刷の網点によって表現出来るような混色を経糸や緯糸の独自の色要素によって織絵画に表現することは出来ず、織絵画を手に取って間近に見ると経糸や緯糸の独自の色が入り混んだ斑点のようにしか見えず、織絵画全体が印刷に比して雑に見えると言うのが現状である。
【０００４】
【発明の目的】
そこで本発明は、従来異色の経糸と緯糸の色彩の混色として表現されていた画素を、接結点に現れる経糸の色彩に影響されることなく緯糸の色彩によって表現し、異色の経糸と緯糸の色彩が入り混じって雑な印象を与えず、手にとって見ても良質感のあるフルカラー織絵画を得ることを目的とする。
【０００５】
【課題を解決するための手段】
本発明に係る織絵画織成法は、色彩の異なる多種類の緯糸を経糸間に選択的に織り込んで写真や絵画やその他各種図柄を多数の画素に分解したデザインを織物で表現するフルカラー織絵画の製織において、経糸を黒と白の２種類の無彩色経糸と色彩の異なる３種類以上の有彩色経糸を単位経糸群として繰り返し配列し、上記デザインの画素を緯糸の色彩によって構成することとし、画素を構成する緯糸を、その緯糸の色値に色値が最も接近した経糸に接結することを第１の特徴とする。
【０００６】
【０００７】
本発明に係る織絵画織成法の第２の特徴は、上記第１の特徴に加えて、上記単位経糸群の中の３種類以上の有彩色経糸が、色相値３１０〜３６０°＝０°〜３０°、彩度値０．４〜１、明度値０．４〜１の赤色経糸、色相値３０°〜６０°、彩度値０．４〜１、明度値０．４〜１の黄色経糸、色相値６０°〜１６０°、彩度値０．４〜１、明度値０．４〜１の緑色経糸、および、色相値１６０°〜２９０°、彩度値０．４〜１、明度値０．４〜１の青色経糸の４種類の中の何れかの有彩色経糸を含み、黒色経糸の明度値を０〜０．４とし、白色経糸の彩度値を０〜０．４、明度値を０．８〜１．０に設定する点にある。
【０００８】
本発明に係る織絵画織成法の第３の特徴は、上記第１と第２の何れかの特徴に加えて、経糸の繊度Ｗと、経糸の色彩別の種類の数ｎと、緯糸の繊度Ｆと、フルカラー織絵画の表面に現れている緯糸の表出密度ｑと、経糸の配列密度ｐと、単位経糸群の各経糸が緯糸の上を越えて接結点を形成する周期Ｔとの関係式ρ＝（Ｗ／Ｆ）×（ｐ／ｑ）÷（ｎ×Ｔ）によって算定される色彩設計指標値ρを０．５以下（ρ≦０．５）に設定する点にある。
【０００９】
【発明の実施の形態】
本発明において、色相値と彩度値と明度値は、色相系のＨＳＶカラーモデルに規定されている色値を意味する。緯糸の色値に色値が最も接近した経糸と言う場合の緯糸の色値と経糸の色値の距離ｒは、ｒ2 ＝（緯糸と経糸の色相値の差÷３６０）2 ＋（緯糸と経糸の彩度値の差）2 ＋（緯糸と経糸の明度値の差）2 として算出される。
又、色値が緯糸の色値に最も接近した経糸を接結させる場合、上記の計算式によって算出される計算値として緯糸の色値と経糸の色値の距離ｒを求める方法とは別の方法として、図２に示す如く色座標を彩度値が低く明度値の高い有彩色と無彩色を含む無彩色白エリア（Ａ）と、明度値の低い有彩色と無彩色を含む無彩色黒エリア（Ｂ）と、それ以外の有彩色と無彩色を含む有彩無彩エリア（Ｃ）との３つのエリアに分け、（１）  色値が無彩色白エリア（Ａ）に属する緯糸２２に対しては、色値が無彩色白エリア（Ａ）に属する経糸１２が接結し、（２）  色値が無彩色黒エリア（Ｂ）に属する緯糸２１に対しては、色値が無彩色黒エリア（Ｂ）に属する経糸１１が接結し、（３）  色値が有彩無彩エリア（Ｃ）に属する緯糸２３に対しては、有彩無彩エリア（Ｃ）に属する経糸１３・１４（１５・１６………）の中でも緯糸２３の色相値と経糸１３・１４の色相値との差（α°・β°）として求められる距離が最も少なくなる経糸１４が接結する、と言う方法が採られる。
その他の方法としては、図３に示す如く色座標を白の無彩色経糸のエリアＱ１と黒の無彩色経糸のエリアＱ２を含む単位経糸群を構成する経糸１１・１２・１３・１４・１５・１６………の数（ｎ）と同数のエリアＱ１・Ｑ２・Ｑ３・Ｑ４・Ｑ５・Ｑ６………に分割すると共に、図４に示す如く色座標を単位色相値１°づつ合計３６０に分割し、色彩値と明度値によって仕切られた各単位色相値毎の色座標テーブル８１・８２・８３・８４………を作成し、その色座標テーブル８１・８２・８３・８４………に単位経糸群を構成する各経糸の属するエリアＱ１・Ｑ２・Ｑ３・Ｑ４・Ｑ５・Ｑ６………を記入し、目視によって各緯糸との色彩差の感じられないエリアＱ１・Ｑ２・Ｑ３・Ｑ４・Ｑ５・Ｑ６………を含む色座標テーブル８１・８２・８３・８４………において、その色座標テーブル８１・８２・８３・８４………に表示されているエリア（Ｑ２・Ｑ４・Ｑ５）の中の緯糸の色値に該当するエリア（Ｑ４）に属する経糸が接結する、と言う方法が採られる。
【００１０】
緯糸は、写真や絵画等のデザインの色彩を分析し、そのデザインの色彩を表現するのに最適な概して６〜１６色の色彩を選定して使用する。織物の下絵として使用する多数の画素に分解したデザインは、使用する緯糸の色彩の他に、その使用する２本の緯糸の色彩の混色で表現することが出来る色彩に減色することが出来る。
この減色は、市販の画像ソフトを用いて行うことが出来、又、ディザ法等の疑似階調表示原理を用いて行うことも出来る。
【００１１】
その減色の時の画素数は、織成しようとする織絵画の経糸の配列密度ｐと緯糸の表出密度ｑに該当する画素数によって決まり、下絵の画素色は、緯糸を織物表面に配置させるために用いられる。
その場合、黒と白の２種類の無彩色経糸と色彩の異なる３種類以上の有彩色経糸、例えば、赤色糸と黄色糸と緑色糸と青色糸と黒色糸と白色糸との合計６種類の色糸（色彩別の経糸の種類の数ｎ＝６）によって構成された単位経糸群の中から画面に配置された緯糸の色値に色値が最も接近した経糸を選択し、数本の緯糸に交叉する２つの単位経糸群が１個の接結点を構成すると、フルカラー織絵画の織物としての表面構造が形成されることになる。
【００１２】
本発明において「単位経糸群が１個の接結点を構成する周期Ｔ」とは、織物表面に現れた緯糸の上を越えた経糸が含まれている単位経糸群の中の何れか１本の経糸が、その緯糸の上を越えた経糸が含まれている単位経糸群の中の何れか１本の経糸が次に緯糸の上を越えるまでの間に、その単位経糸群の全ての経糸の上を越えて織物表面に現れる緯糸の本数に１を加えた数を意味する。本発明において「経糸の配列密度ｐ」とは、フルカラー織絵画の単位表面積１ｃｍ2 当たりの経糸の配列本数を意味する。本発明において「緯糸の表出密度ｑ」とは、フルカラー織絵画の単位表面積１ｃｍ2 当たりの緯糸の表出本数を意味する。
単位経糸群が１個の接結点を構成する周期Ｔと、経糸の繊度Ｗと、経糸の色彩別の種類の数ｎと、緯糸の繊度Ｆと、フルカラー織絵画の表面に現れている緯糸の表出密度ｑと、経糸の配列密度ｐとの関係式ρ＝（Ｗ／Ｆ）×（ｐ／ｑ）÷（ｎ×Ｔ）によって算定される色彩設計指標値ρが０．５以下（ρ≦０．５）になるように、周期Ｔや繊度Ｗ・Ｆ、経糸の色彩別の種類の数ｎ、緯糸の表出密度ｑ、および、経糸の配列密度ｐを設定すると、画素が接結点に現れる経糸の色彩に影響されることなく緯糸の色彩によって表現され、異色の経糸と緯糸の色彩が入り混じって雑な印象を与えず良質感のあるフルカラー織絵画が得られる。
【００１３】
即ち、（１）  経糸の繊度Ｗが緯糸の繊度Ｆよりも少なく、その比率Ｗ／Ｆを１以下にする場合、（２）  経糸の配列密度ｐが緯糸の表出密度ｑよりも粗く、即ち、１ｃｍ2 当たりの経糸の配列本数が１ｃｍ2 当たりの緯糸の表出本数よりも少なく、その比率ｐ／ｑを１以下にする場合、（３）  経糸の色彩別の種類の数ｎが多く、緯糸の色値に経糸の色値が接近する場合、或いは、（４）  単位経糸群の経糸が緯糸の上を越えて接結点を形成する周期Ｔが長く、経糸がフルカラー織絵画の表面に現れる頻度が少なくなる場合には、フルカラー織絵画の表面に現れる緯糸の色彩は、経糸の色彩に影響され難くなり、異色の経糸と緯糸の色彩が入り混じって雑な印象を与えず、緯糸の色彩によって表現された良質感のあるフルカラー織絵画が得られる。
【００１４】
しかし、フルカラー織絵画の質感、大きさ・寸法、物性強度、形状安定性、画素の繊細度、経糸や緯糸の繊維素材、織機の性能や構造、製織方法等の関係から、経糸の繊度Ｗを緯糸の繊度Ｆよりも極端に少なくし、又は、経糸の配列密度ｐを極端に粗くし、或いは、経糸の色彩別の種類の数ｎを限りなく多くし、或いは、単位経糸群の経糸が接結点を形成する周期Ｔを極端に長くすることは出来ず、時には、経糸の繊度Ｗを緯糸の繊度Ｆと同じ程度にし、或いは、経糸の配列密度ｐを緯糸の表出密度ｑと同じ程度にし、或いは、単位経糸群の接結点を形成する周期Ｔを短くせざるを得ない場合もあり、又、デザインによっては有彩色経糸が赤と黄と青の３色で済む場合もある。これら何れの場合においても、例えば、経糸の繊度Ｗを緯糸の繊度Ｆと同じ程度にせざるを得ない場合には経糸の配列密度ｐを緯糸の表出密度ｑよりも粗くし、経糸の色彩別の種類ｎが５種類で済む場合は経糸の配列密度ｐを細かくする等して、色彩設計指標値ρが０．５以下（ρ≦０．５）、好ましくは０．０６以下（ρ≦０．０６）、更に好ましくは０．０４以下（ρ≦０．０４）になるようにする。そうすると、その設定された単位経糸群の各経糸が緯糸の上を越えて接結点を形成する周期Ｔに応じた織物としての組織構造が形成され、緯糸の色彩によって表現されたフルカラー織絵画が得られる。
【００１５】
因に、単位経糸群を赤色糸１１と黄色糸１２と緑色糸１３と青色糸１４と白色糸１５と黒色糸１６との合計６種類の色糸（色彩別の経糸の種類の数ｎ＝６）によって構成し、その各経糸の繊度Ｗと緯糸の繊度Ｆを８２ｄｔｅｘとし、経糸の配列密度ｐと緯糸の表出密度ｑを５０本／１０ｃｍとし、単位経糸群から選定されて接結点を形成する経糸の周期Ｔが２のフルカラー織絵画の色彩設計指標値ρは０．０８３になり、周期Ｔが３のフルカラー織絵画の色彩設計指標値ρは０．０５６になり（図１）、周期Ｔが５となるフルカラー織絵画の色彩設計指標値ρは０．０３３になる。
【００１６】
色彩設計指標値ρが０．５以下（ρ≦０．５）になるとしてもフルカラー織絵画の表面に現れるべき緯糸の色彩が経糸の色彩に影響され難くするには、少なくとも経糸の繊度Ｗを緯糸の繊度Ｆよりも細くする。
フルカラー織絵画の表面を構成しない経糸や緯糸（２１Ａ・２２Ａ・２３Ａ）、即ち、フルカラー織絵画の或る部分では必要でも他の部分では必要としない経糸や緯糸は、フルカラー織絵画の裏面を構成するように演算処理される。
【００１７】
本発明においては、緯糸には６〜１６種類の色糸を使用し、その中から選択される１〜２本の緯糸を下絵の１画素に対して配置させることとし、経糸の繊度Ｗと、経糸の色彩別の種類の数ｎと、緯糸の繊度Ｆと、フルカラー織絵画の表面に現れている緯糸の表出密度ｑと、経糸の配列密度ｐと、単位経糸群の各経糸１１・１２・１３・１４・１５・１６が緯糸２１・２２・２３………の上を越えて接結点３１・３２・３３を形成する周期Ｔを、関係式ρ＝（Ｗ／Ｆ）×（ｐ／ｑ）÷（ｎ×Ｔ）によって算定される色彩設計指標値ρが０．５以下（ρ≦０．５）になるように設定すると、織物としての組織構造が形成される。そのように、下絵の画素に予め準備された有限の織組織を当て嵌めて織物としての組織構造を形成する従来技法と異なり、本発明では、演算により、言わば格別に準備されたものではない無限の織組織の中から織物としての組織構造を発生させるので、その組織構造が下絵の画素に対応して無理がなく安定したフルカラー織絵画が効率的に得られる。
【００１８】
デザインの色彩の分析からフルカラー織絵画の織成に至る次の工程はコンピュータにおいて行うとよい。
（ａ）  絵画等のデザインの色彩の分析、減色、および、緯糸の色彩の選定
（ｂ）  経糸の配列密度ｐと緯糸の表出密度ｑによる画素数の設定
（ｃ）  緯糸の色値と経糸の色値の距離ｒ（ｒ2 ＝（緯糸と経糸の色相値の差÷３６０）2 ＋（緯糸と経糸の彩度値の差）2 ＋（緯糸と経糸の明度値の差）2 ）の演算による接結経糸の設定
（ｄ）  無彩色白エリア（Ａ）と無彩色黒エリア（Ｂ）と有彩無彩エリア（Ｃ）による色座標の分割と接結経糸の設定
（ｅ）  単位経糸群を構成する経糸の数（ｎ）による色座標の分割、色座標テーブルの作成、および、接結経糸の設定
（ｆ）  単位経糸群を構成する赤色経糸の色彩（色相値３１０〜３６０°＝０°〜３０°、彩度値０．４〜１、明度値０．４〜１）、黄色経糸の色彩（色相値３０°〜６０°、彩度値０．４〜１、明度値０．４〜１）、緑色経糸の色彩（色相値６０°〜１６０°、彩度値０．４〜１、明度値０．４〜１）、青色経糸の色彩（色相値１６０°〜２９０°、彩度値０．４〜１、明度値０．４〜１）、黒色経糸の色彩（明度値０〜０．４）、白色経糸の色彩（彩度値０〜０．４、明度値０．８〜１．０）の設定
（ｇ）  関係式ρ＝（Ｗ／Ｆ）×（ｐ／ｑ）÷（ｎ×Ｔ）≦０．５による経糸の繊度Ｗと、経糸の色彩別の種類の数ｎ、緯糸の繊度Ｆ、緯糸の表出密度ｑ、経糸の配列密度ｐ、単位経糸群の接結点の周期Ｔの設定と織組織構造の形成
【００１９】
【発明の効果】
上記の通り、本発明によると、下絵の画素が、接結点に現れる経糸の色彩に影響されることなく緯糸の色彩によって表現され、異色の経糸と緯糸の色彩が入り混じって雑な印象を与えず、手にとって間近に見ても良質感のあるフルカラー織絵画を効率的に得ることが出来る。
【図面の簡単な説明】
【図１】  本発明に係るフルカラー織絵画の部分拡大斜視図である。
【図２】  本発明に係る色座標の概念図である。
【図３】  本発明に係る色座標の概念図である。
【図４】  本発明に係る色座標テーブルの概念図である。
【符号の説明】
１１・１２・１３・１４・１５・１６  経糸
２１・２２・２３  緯糸
３１・３２・３３  接結点
８１・８２・８３・８４  色座標テーブル
【図１】
0003838098.tif 000002
【図２】
0003838098.tif 000003
【図３】
0003838098.tif 000004
【図４】
0003838098.tif 000005